(57)【特許請求の範囲】
【請求項１】
窓枠（３）内に配置された障子（４）の上部が下方に移動するとともに前記障子（４）の下部が前記窓枠（３）から離れる方向に移動することで、前記障子（４）が傾斜状に開かれる辷り出し窓（１）の開閉装置であって、
前記障子（４）に設けられる傾斜規制用ブラケット（２０）と、
前記窓枠（３）の建物内方側に、前記窓枠（３）の縦枠（３ａ）に沿って上下方向へ延びるように設けられる縦ベース（１６）と、
前記縦ベース（１６）を昇降移動可能であり、前記傾斜規制用ブラケット（２０）の下側部分を受け止め可能になっている開閉用ブラケット（２２）と、
を備え、
前記開閉用ブラケット（２２）が、前記障子（４）が所定の姿勢になる高さ位置まで昇降移動することを特徴とする辷り出し窓（１）の開閉装置（１３）。
【請求項２】
排煙の際に障子（４）が閉じ方向側へ姿勢変更している場合には、前記開閉用ブラケット（２２）が押圧用ブラケット（２４）を押し下げて、その押圧用ブラケット（２４）が傾斜規制用ブラケット（２０）の上側部分に当接して傾斜規制用ブラケット（２０）を押し下げるものである請求項１に記載の辷り出し窓（１）の開閉装置（１３）。
【請求項３】
前記傾斜規制用ブラケット（２０）は、その突出先端側にローラ（１９）を配置していて、そのローラ（１９）の上端側に前記押圧用ブラケット（２４）が当接するとともに、前記ローラ（１９）の下端側を前記開閉用ブラケット（２２）が受け止め可能になっていることを特徴とする請求項２に記載の辷り出し窓（１）の開閉装置（１３）。
【請求項４】
前記開閉用ブラケット（２２）を昇降させる昇降駆動手段を備え、
前記昇降駆動手段が、前記開閉用ブラケット（２２）にワイヤを介して接続していてそのワイヤを巻き取ることで前記開閉用ブラケット（２２）を上昇させる開閉操作装置（１２）と、前記開閉用ブラケット（２２）を下向きに付勢している引っ張りバネ（２６）とからなり、
前記開閉操作装置（１２）による前記ワイヤの巻き取りを解除したときには、前記引っ張りバネ（２６）の付勢力によって前記開閉用ブラケット（２２）が下降することを特徴とする請求項１乃至３のいずれかに記載の辷り出し窓（１）の開閉装置（１３）。
【請求項５】
上側ブラケット（２４ａ）と、下側ブラケット（２４ｂ）と、上側ブラケット（２４ａ）と下側ブラケット（２４ｂ）とを連結する連結部（２４ｃ）とからなる押圧用ブラケット（２４）を備え、
風圧に応じて閉じ方向側へ障子（４）を姿勢変更できるように前記傾斜規制用ブラケット（２０）は前記上側ブラケット（２４ａ）を押し上げ可能とするとともに、前記開閉用ブラケット（２２）が前記下側ブラケット（２４ｂ）を押し下げたときには、前記上側ブラケット（２４ａ）が前記傾斜規制用ブラケット（２０）を押し下げて前記障子（４）を排煙姿勢に向けて開かせることを特徴とする請求項２乃至４のいずれかに記載の辷り出し窓（１）の開閉装置（１３）。
【請求項６】
窓枠（３）内に配置された障子（４）の上部が下方に移動するとともに前記障子（４）の下部が前記窓枠（３）から離れる方向に移動することで前記障子（４）が傾斜状に開かれる辷り出し窓（１）であって、
前記障子（４）に設けられる傾斜規制用ブラケット（２０）と、
前記窓枠（３）の縦枠（３ａ）に沿って上下方向へ延びるように設けられる縦ベース（１６）と、
前記縦ベース（１６）を昇降移動可能であり、前記傾斜規制用ブラケット（２０）の上側部分に当接可能な押圧用ブラケット（２４）と、
前記縦ベース（１６）を昇降移動可能であり、前記傾斜規制用ブラケット（２０）の下側部分を受け止め可能になっている開閉用ブラケット（２２）と、
を備え、
前記障子（４）が開いている状態で、前記傾斜規制用ブラケット（２０）が押圧用ブラケット（２４）を押し上げて風圧に応じて障子（４）を閉じ方向側へ姿勢変更可能な状態と、押圧用ブラケット（２４）が前記傾斜規制用ブラケット（２０）を押し下げることで前記障子（４）を排煙姿勢に開く状態と、を有することを特徴とする辷り出し窓（１）。
【発明の詳細な説明】
【技術分野】
【０００１】
本発明は、障子を辷り出させて開く辷り出し窓の開閉装置に関するものである。
【背景技術】
【０００２】
オフィスビルなどの建物において、その外壁に、いわゆる辷り出し窓を設置したものがある。その辷り出し窓は、例えば特許文献１に示すように、窓枠の縦枠の上端内側の左右に配置したガイドレールに、障子の上端左右に配置したスライダーを上下移動可能に係合するとともに、前記縦枠および前記障子の上下方向の中間に上下揺動可能な開閉用アームを掛け渡している。
【０００３】
そして、前記障子は、オペレータ（開閉操作装置）での操作に応じて、上部が下方へ移動するとともに下部が建物の外方へ辷り出し移動して傾斜状に開くようになっている。その開いている障子は、自然風の風圧に応じて傾斜角度が変化するようになっている。
【０００４】
また、特許文献１の辷り出し窓では、窓枠の下枠（無目）と障子の下框とを引寄せアームで接続している。その引寄せアームは、無目側アームと障子側アームとをつなげて構成しており、オペレータでの操作に応じて前記引寄せアームが屈曲姿勢になることで、障子が閉じられる。また、障子が閉じられたときには、窓枠の下枠に取り付けたスライドフックが左右方向へスライド移動して障子の下框に取り付けたロックピンが係止されて、障子が閉じた状態でロック（保持）されるようになっている。
【先行技術文献】
【特許文献】
【０００５】
【特許文献１】実開平２００８−３０８９３０号公報
【発明の概要】
【発明が解決しようとする課題】
【０００６】
前記特許文献１の辷り出し窓では、上下の制動バネなどが障子の開閉動作の抵抗になってしまって、障子が自然風の風圧に的確に応じた開閉が行えず、例えば風圧が小さい場合に障子が適正に開閉できない虞がある。
【０００７】
また、火事などの際に排煙のために障子を所定の排煙姿勢まで開かせることがあるが、例えば、自然風の風圧によって障子の傾斜角度が小さくなっている場合がある。その場合、十分な排煙が行えないといった問題がある。
【０００８】
本発明は、かかる不都合を解決することを目的として提供されたものであり、風圧に応じた適正な角度に障子を傾斜させることができる辷り出し窓の開閉装置を提供することにある。また、障子を所定の排煙姿勢まで確実に開かせることができる辷り出し窓の開閉装置を提供することにある。
【課題を解決するための手段】
【０００９】
本発明は、かかる不都合を解決するために、窓枠３内に配置された障子４の上部が下方に移動するとともに障子４の下部が窓枠３から離れる方向に移動することで、障子４が傾斜状に開かれる辷り出し窓１の開閉装置であって、障子４に設けられる傾斜規制用ブラケット２０と、窓枠３の建物内方側に、窓枠３の縦枠３ａに沿って上下方向へ延びるように設けられる縦ベース１６と、縦ベース１６を昇降移動可能であり、傾斜規制用ブラケット２０の下側部分を受け止め可能になっている開閉用ブラケット２２と、を備え、開閉用ブラケット２２が、障子４が所定の姿勢になる高さ位置まで昇降移動することを特徴とする。
【００１０】
本発明は、排煙の際に障子４が閉じ方向側へ姿勢変更している場合には、開閉用ブラケット２２が押圧用ブラケット２４を押し下げて、その押圧用ブラケット２４が傾斜規制用ブラケット２０の上側部分に当接して傾斜規制用ブラケット２０を押し下げるものである。
本発明の傾斜規制用ブラケット２０は、その突出先端側にローラ１９を配置していて、そのローラ１９の上端側に押圧用ブラケット２４が当接するとともに、ローラ１９の下端側を開閉用ブラケット２２が受け止め可能になっていることを特徴とする。
本発明は、開閉用ブラケット２２を昇降させる昇降駆動手段を備え、昇降駆動手段が、開閉用ブラケット２２にワイヤを介して接続していてそのワイヤを巻き取ることで開閉用ブラケット２２を上昇させる開閉操作装置１２と、開閉用ブラケット２２を下向きに付勢している引っ張りバネ２６とからなり、開閉操作装置１２によるワイヤの巻き取りを解除したときには、引っ張りバネ２６の付勢力によって開閉用ブラケット２２が下降することを特徴とする。
本発明は、上側ブラケット２４ａと、下側ブラケット２４ｂと、上側ブラケット２４ａと下側ブラケット２４ｂとを連結する連結部２４ｃとからなる押圧用ブラケット２４を備え、風圧に応じて閉じ方向側へ障子４を姿勢変更できるように前記傾斜規制用ブラケット２０は前記上側ブラケット２４ａを押し上げ可能とするとともに、前記開閉用ブラケット２２が前記下側ブラケット２４ｂを押し下げたときには、前記上側ブラケット２４ａが前記傾斜規制用ブラケット２０を押し下げて前記障子４を排煙姿勢に向けて開かせることを特徴とする。
本発明は、窓枠３内に配置された障子４の上部が下方に移動するとともに障子４の下部が窓枠３から離れる方向に移動することで障子４が傾斜状に開かれる辷り出し窓１であって、障子４に設けられる傾斜規制用ブラケット２０と、窓枠３の縦枠３ａに沿って上下方向へ延びるように設けられる縦ベース１６と、縦ベース１６を昇降移動可能であり、傾斜規制用ブラケット２０の上側部分に当接可能な押圧用ブラケット２４と、縦ベース１６を昇降移動可能であり、傾斜規制用ブラケット２０の下側部分を受け止め可能になっている開閉用ブラケット２２と、を備え、障子４が開いている状態で、傾斜規制用ブラケット２０が押圧用ブラケット２４を押し上げて風圧に応じて障子４を閉じ方向側へ姿勢変更可能な状態と、押圧用ブラケット２４が傾斜規制用ブラケット２０を押し下げることで障子４を排煙姿勢に開く状態と、を有することを特徴とする。
【００１１】
ここでの昇降駆動手段には、ワイヤロープや化学繊維製のロープやチェーンなどを開閉用ブラケット２２に接続し、そのワイヤロープやロープやチェーンなどをモータや手動のハンドルなどで駆動することで開閉用ブラケット２２を昇降させるものや引っ張りバネなどが該当する。押圧用ブラケット２４は、自重で傾斜規制用ブラケット２０の上側部分に当接するものなどが該当し、バネで傾押圧用ブラケット２４を斜規制用ブラケット２０の上側部分に当接させるものなども含まれる。ここでの風圧には自然風によるものなどが該当する。窓枠３には方立なども含まれる。縦ベース１６は、窓枠３の縦枠３ａに直接取り付けている（固定している）場合や、縦枠３ａに固定した部材を介して前記縦枠３ａに取り付けている場合などが該当する。  詳しくは傾斜規制用ブラケット２０は、その突出先端側にローラ１９を配置していて、そのローラ１９の上端側に押圧用ブラケット２４が当接するとともに、ローラ１９の下端側を開閉用ブラケット２２が受け止め可能になっていることを特徴とする。 
【００１２】
昇降駆動手段が開閉用ブラケット２２を所定の排煙位置に下降させたときには、障子４は所定の排煙姿勢まで傾斜可能になっており、開閉用ブラケット２２は、排煙位置に下降する際に障子４が風圧によって閉じ方向へ姿勢変更している場合には、押圧用ブラケット２４に当接して押圧用ブラケット２４を押し下げるものとすることができる。
【００１３】
ここでの辷り出し窓１には、例えば、障子４が換気を行うときの姿勢（換気姿勢）と火事などの際に排煙を行うときの姿勢（排煙姿勢）とに姿勢変更可能なものが該当し、前記排煙姿勢での傾斜角度（窓枠３に対する傾斜角度）は、前記換気姿勢の傾斜角度よりも大きくなっている。開閉用ブラケット２２は、排煙位置まで押圧用ブラケット２４を押し続ける場合と、排煙位置までは押圧用ブラケット２４を押さない場合とが該当する。
【００１４】
昇降駆動手段は、開閉用ブラケット２２にワイヤを介して接続していてそのワイヤを巻き取ることで開閉用ブラケット２２を上昇させる開閉操作装置１２と、開閉用ブラケット２２を下向きに付勢している引っ張りバネ２６とからなり、開閉操作装置１２によるワイヤの巻き取りを解除したときには、引っ張りバネ２６の付勢力によって開閉用ブラケット２２が下降するものとすることができる。
【００１５】
ここでの開閉操作装置１２には、手動式のハンドル１２ａや内蔵のモータなどでワイヤを巻き取るハンドルボックスや、空気圧モータなどのアクチュエータを用いてワイヤを巻き取るものなどが該当する。ここでは、開閉操作装置１２がワイヤのみを介して開閉用ブラケット２２に接続している場合と、ワイヤのほかに滑車その他の部材を介して接続している場合とが含まれる。
【発明の効果】
【００１６】
本発明では、昇降駆動手段で開閉用ブラケット２２が、例えば下降操作されると、その下降操作に応じて傾斜規制用ブラケット２０が下降して障子４が傾斜状に開かれる。その障子４の傾斜角度は開閉用ブラケット２２の昇降位置に対応している。また、昇降駆動手段での上昇操作によって開閉用ブラケット２２が上昇すると、それに伴って傾斜規制用ブラケット２０が押し上げられて（上昇して）障子４が閉じられる。
【００１７】
かかる傾斜規制用ブラケット２０は、開閉用ブラケット２２に受け止めらているだけなので、開閉用ブラケット２２が傾斜規制用ブラケット２０の上昇時の負荷にはならない。その分だけ障子４は容易に閉じ方向へ移行できる。その結果、風圧に応じた角度に障子４を的確に傾斜させることができる。
【００１８】
しかも、昇降駆動手段の操作によって既に開いている障子４を、所望の傾斜角度までさらに開きたいときに、例えば風圧によって前記障子４が閉じ方向側へ姿勢変更している場合がある。その場合、開閉用ブラケット２２が、その姿勢変更に伴って傾斜規制用ブラケット２０と共に上昇している押圧用ブラケット２４を強制的に押し下げ、それによって障子４を前記所望の傾斜角度まで確実に開くことができる。また、例えば全閉状態の際に障子４と窓枠３とが密着していても、開閉用ブラケット２２が、押圧用ブラケット２４を押し下げることで障子４を確実に開くことができる。
【００１９】
傾斜規制用ブラケット２０のローラ１９の上端側に押圧用ブラケット２４が当接し、そのローラ１９の下端側を開閉用ブラケット２２が受け止め可能になっていると、傾斜規制用ブラケット２０が昇降する際に開閉用ブラケット２２や押圧用ブラケット２４に対して擦れても、その際の摩擦を低減することができる。その分だけ、開閉用ブラケット２２や押圧用ブラケット２４が傾斜規制用ブラケット２０の昇降の負荷にならず、障子４をより確実、かつ迅速に風圧に応じた角度に傾斜させることができる。
【００２０】
開閉用ブラケット２２が、排煙位置に下降する際に押圧用ブラケット２４に当接して押し下げるものとすると、火事などの際に障子４を排煙に必要な開度に確実に開くことができて的確に排煙することができる。
【００２１】
昇降駆動手段が、開閉操作装置１２と引っ張りバネ２６とからなると、その分だけ開閉用ブラケット２２を昇降させる手段の簡略化が図れる。
【図面の簡単な説明】
【００２２】
【図１】本発明に係る辷り出し窓の縦断側面図である。
【図２】本発明の辷り出し窓の正面図である。
【図３】障子が換気姿勢のときの状態を示す縦断側面図である。
【図４】障子が排煙姿勢のときの状態を示す縦断側面図である。
【図５】開閉装置の動作を説明するための縦断側面図である。
【図６】ロック装置でのロック状態を示す横断平面図である。
【図７】ロック解除状態を示す横断平面図である。
【図８】図６のＡ―Ａ線矢視断面図である。
【図９】ロック装置のピニオンの正面図である。
【発明を実施するための形態】
【００２３】
本発明に係る辷り出し窓の一実施例を図面に基づいて説明する。その辷り出し窓１は、オフィスビルなどの建物の外壁などに形成した開口に取り付けるようになっている。
【００２４】
前記辷り出し窓１は、図２に示すように、方形状に枠組みした窓枠３内に障子４を配置しており、その障子４は、方形状に枠組みした框６内に板ガラス７を装着している。障子４の上端部の左右には、図１に示す障子ローラ８をそれぞれ配置しており、窓枠３の左右の縦枠３ａの上端部の内面側には、上下方向へ延びているスライドレール９をそれぞれ取り付けている。そのスライドレール９には、前記障子ローラ８が上下方向へ移動可能に係合している。
【００２５】
図１に示すように、障子４の框６での左右の縦框６ａの上部と窓枠３の左右の縦枠３ａでの上下方向の中間とに亘って上下方向へ揺動自在な揺動アーム１１をそれぞれ掛け渡している。そして、障子４の上部が、その自重でスライドレール９に沿って下方へ移動するとともに、揺動アーム１１によって障子４の下部が窓枠３から離れる方向（建物外方）へ移動することで、障子４が傾斜状に開かれる（図３や図４の状態参照）。
【００２６】
前記建物の内壁などの適所には、図２に示すハンドルボックス（開閉操作装置）１２を設けており、そのハンドルボックス１２には、ハンドル１２ａと換気用釦１２ｂと排煙用釦１２ｃとを設けている。そして、ハンドルボックス１２のハンドル１２ａを回すことで障子４が閉じられるように構成している。
【００２７】
その障子４を閉じた状態（図１の状態）でハンドルボックス１２の換気用釦１２ｂを押すと、障子４が所定の換気姿勢（図３の姿勢）に開かれる。また、前記障子４を閉じた状態または障子４が前記換気姿勢に開かれている状態で、ハンドルボックス１２の排煙用釦１２ｃを押すと、障子４が所定の排煙姿勢（図４の姿勢）まで開かれる。その排煙姿勢での障子４の開度（窓枠３に対する障子４の傾斜角度）は、前記換気姿勢での障子４の開度よりも大きくなっている。障子４は、換気姿勢または排煙姿勢に開いている状態で自然風を受けたときには、その自然風の風圧に応じた開度に揺動する。つまり、障子４は、前記自然風の風圧と当該障子４の自重とのバランスした角度に揺動する。なお、障子４には、開度調節のためのバランサ（錘）を取り付けてもよい。そのバランサは、例えば框６の上框６ｃの上面に配置することが好ましい。
【００２８】
前記辷り出し窓１の左右には開閉装置１３・１３をそれぞれ設けている。その各開閉装置１３は、図１および図３に示すように、窓枠３の縦枠３ａの建物内方側に沿って上下方向へ延びるように取り付けている縦ベース１６と、その縦ベース１６の上端部に固定していて第１ワイヤ１７を掛けている固定滑車１８と、障子４の縦框６ａの上部から建物内方へ突出するように設けている傾斜規制用ブラケット２０とをそれぞれ有している。縦ベース１６には、上下方向へ延びている一対のガイドレール１４・１４を設けている。傾斜規制用ブラケット２０の突出先端側（建物内方側）には、開閉用ローラ１９を回転自在に配置している。その開閉用ローラ１９は合成樹脂などで形成している。
【００２９】
また、前記開閉装置１３には、前記縦ベース１６のガイドレール１４・１４にそれぞれ係合する４個のガイドローラ２１を有していて縦ベース１６に対して昇降移動可能に支持されている開閉用ブラケット２２と、縦ベース１６のガイドレール１４・１４にそれぞれ係合する４個のガイドローラ２３を有していて縦ベース１６に対して昇降移動可能に支持されている押圧用ブラケット２４とを有している。
【００３０】
前記ガイドレール１４・１４は、前記縦ベース１６の建物の内外方向（図１では左右方向）に並べて配置している。前記開閉用ブラケット２２には動滑車２５を配置しており、前記第１ワイヤ１７の一端を前記固定滑車１８および前記動滑車２５を介して縦ベース１６の上端に固定している。開閉用ブラケット２２は、傾斜規制用ブラケット２０の開閉用ローラ１９の下端側（下側部分）を受け止め可能になっている。開閉用ブラケット２２には、引っ張りバネ２６（昇降駆動手段）の一端（上端）を係止していて、その引っ張りバネ２６の他端（下端）を前記縦ベース１６の下端部に係止しており、引っ張りバネ２６によって開閉用ブラケット２２が下方へ付勢されている。なお、引っ張りバネ２６は、例えば建物の内外方向に複数本並べて配置してもよい。
【００３１】
前記押圧用ブラケット２４は、上下２つに分かれており、その上側ブラケット部２４ａと下側ブラケット部２４ｂとを上下方向へ延びる連結部２４ｃによって連結している。上下の各ブラケット部２４ａ・２４ｂには、前記ガイドローラ２３をそれぞれ２個ずつ配置している。押圧用ブラケット２４は、その自重によって上側ブラケット部２４ａが傾斜規制用ブラケット２０の開閉用ローラ１９の上端側（上側部分）に当接するようになっており、障子４の開閉に伴う傾斜規制用ブラケット２０（開閉用ローラ１９）の昇降に対応して、その傾斜規制用ブラケット２０の開閉用ローラ１９に当接している状態で傾斜規制用ブラケット２０と共に昇降可能になっている。
【００３２】
開閉用ブラケット２２の下端の建物内方側には当接部２７を設けており、その当接部２７に臨ませて押圧用ブラケット２４の下側ブラケット部２４ｂの上端の建物内方側に、前記当接部２７に当接可能な当接部２８を設けている。前記当接部２７および前記当接部２８は合成樹脂などで形成している。
【００３３】
そして、例えば、前記ハンドルボックス１２の換気用釦１２ｂが押されたことで障子４が開いているときに、ハンドルボックス１２の排煙用釦１２ｃが押されると開閉用ブラケット２２が下降する。その際、障子４が自然風の風圧によって閉じ方向側（建物内方側）へ姿勢変更していると（図５の状態）、図５に示すように、開閉用ブラケット２２の前記当接部２７が傾斜規制用ブラケット２０と共に上昇している押圧用ブラケット２４の下側ブラケット部２４ｂの前記当接部２８に当接して、当該押圧用ブラケット２４を押し下げる。
【００３４】
すると、押圧用ブラケット２４の上側ブラケット部２４ａが、傾斜規制用ブラケット２０の開閉用ローラ１９の上端側に当接して傾斜規制用ブラケット２０を強制的に押し下げて障子４を建物外方へ押し、それによって障子４が開かれる。
【００３５】
つまり、例えば火事の際に排煙しようとしても、その際に障子４に自然風が強く当たっていると障子４が閉じ方向へ姿勢変更して、障子４が開閉用ブラケット２２の下降に追従して開くことが困難になる。その場合、適正かつ迅速な排煙が行われないことになる。その対策として、前述のように押圧用ブラケット２４を強制的に押し下げて、障子４を確実に排煙姿勢に傾斜させるようにしている。なお、押圧用ブラケット２４で傾斜規制用ブラケット２０をある程度まで押し下げると、その後は、障子４は自重で排煙姿勢まで自然に傾斜する。
【００３６】
また、例えば、障子４が全閉姿勢（図１の姿勢）のときに、その障子４の框６が窓枠３の建物外方側に設けている止水部材２９に強く密着して障子４が開き難くなっていても、前述のように押圧用ブラケット２４で傾斜規制用ブラケット２０の開閉用ローラ１９を強制的に押し下げることで、障子４が建物外方へ押されて障子４の框６が窓枠３の止水部材２９から離れる。それによって障子４を確実に開くことができる。
【００３７】
前記辷り出し窓１には、障子４を全閉姿勢で保持するロック装置１５を有している。そのロック装置１５は、障子４を閉じたときにそれぞれ適正な全閉状態まで引き寄せて保持（ロック）する。
【００３８】
前記ロック装置１５は、図６および図７に示すように、障子４の下框６ｂの建物内方側の左右に設けている係止部３０・３０と、窓枠３の下枠３ｂに沿って左右方向へ延びていてその下枠３ｂに取り付けている横ベース３１と、その横ベース３１に左右方向へスライド移動可能に支持されている左右一対のスライドラック３２・３２と、そのスライドラック３２・３２によって揺動駆動される左右一対のフック３３・３３と、横ベース３１に左右方向へスライド移動可能に支持されていて障子４の開閉に対応して前記スライドラック３２・３２を押し動かすための左右一対の押圧部材３９・３９と、各スライドラック３２を各押圧部材３９側へそれぞれ付勢するねじりコイルばね（付勢手段）５４とを有している。
【００３９】
また、前記ロック装置１５は、一端部（図６では左側）に一方の押圧部材３９を取り付けている第１ラック３４と、一端部（図６では右側）に他方の押圧部材３９を取り付けている第２ラック３５と、各ラック３４・３５にそれぞれ歯合するピニオン３６・３７とを有している。各ラック３４・３５は、それぞれ窓枠３の下枠３ｂに沿って左右方向へ延びている。
【００４０】
前記横ベース３１には、図８に示すように、窓枠３の下枠３ｂに沿って左右方向へ延びている上下二段のガイドレール４３・４４を設けている。それらのガイドレール４３・４４には、各ラック３４・３５に設けている複数個のガイドローラ４５・４６をそれぞれ係合している。第２ラック３５が第１ラック３４の上側に配置されている。
【００４１】
第１ピニオン３６の下部が、図８および図９に示すように、第１ラック３４に噛合しており、第２ピニオン３７の上部が第２ラック３５に噛合している。また、第１ピニオン３６の上部と第２ピニオン３７の下部とが互いに噛合している。それにより、第１ピニオン３６が回転したときには、第２ピニオン３７が第１ピニオン３６と反対方向に回転して、第２ラック３５が第１ラック３４とは反対方向へスライド移動する。
【００４２】
前記横ベース３１の左右方向の中央には、図６に示すように、前記ピニオン３６・３７をそれぞれ軸支する支持台３８を取り付けている。つまり、前記ピニオン３６・３７は、支持台３８を介して横ベース３１に回転可能に支持されている。その支持台３８には、前記各第１ワイヤ１７・１７の他端側を方向転換滑車４０・４０を介してそれぞれ掛けている左右一対の駆動滑車４１・４２を取り付けている。その各第１ワイヤ１７の他端は左右の押圧部材３９・３９にそれぞれ固定している。なお、複数の滑車で各方向転換滑車４０を構成してもよい。
【００４３】
前記各係止部３０は、障子４の下框６ｂに取り付けている基台３０ａと、その基台３０ａ上に直立状に設けていて前記フック３３に係止される円柱形状のロックピン３０ｂとを有している。各フック３３は、先端側（建物外方側）を鉤状に形成しており、それらの鉤状の先端がそれぞれ窓枠３の下枠３ｂ（横ベース３１）の左右方向の中央側へ向いている。フック３３は、基端側（建物内方側）に設けている揺動軸４８で横ベース３１に固定している基板４９に揺動自在に支持している。
【００４４】
前記各スライドラック３２には、フック３３の基端側に設けている円柱形状の係合ピン５１を係合する凹部３２ａを建物内方側へ向けて形成しており、その係合によってフック３３がスライドラック３２のスライド移動に応じて揺動する。また、各スライドラック３２には、左右方向へ延びる二つの長孔５２・５２をそれぞれ設けており、それらの長孔５２・５２に前記基板４９に直立状に設けている円柱形状の二つの支持ピン５３・５３がそれぞれ係合しており、それによってスライドラック３２の左右方向への移動がガイドされる。スライドラック３２と基板４９との間にはねじりコイルばね５４を配置しており、そのねじりコイルばね５４によって各スライドラック３２を横ベース３１の左右方向の中央側、すなわち押圧部材３９側へそれぞれ付勢している。
【００４５】
前記各押圧部材３９は、前記ラック３４・３５に取り付けている基台５５と、その基台５５上に立設している押圧板５６とをそれぞれ有している。そして、障子４が全閉姿勢になる際に、押圧部材３９の押圧板５６がスライドラック３２に当接して押すことで、スライドラック３２がねじりコイルばね５４の付勢力に抗して横ベース３１の左右方向の端側に移動する。それに伴ってフック３３が図６に示すように障子４に対して垂直になる係止姿勢に揺動する。それによってフック３３が係止部３０のロックピン３０ｂを係止して、障子４が引き寄せられるとともに全閉姿勢でロックされる（図６の状態）。
【００４６】
また、障子４が前記全閉姿勢から開く際には、押圧部材３９がスライドラック３２から離れて、スライドラック３２がねじりコイルばね５４の付勢力によって押圧部材３９側へ移動する。すると、フック３３が揺動して、図７に示すように傾斜姿勢に傾斜し、そのフック３３が前記ロックピン３０ｂから外れる（ロックが解除される）。それによって障子４が開かれる。
【００４７】
一方の押圧部材３９（図６では左側）には、その基台５５上に前記ハンドルボックス１２から繰り出された第２ワイヤ５７を掛けている第１引寄せ滑車６０および第３引寄せ滑車６２を有している。一方の基板４９（図６では左側）には、第２引寄せ滑車６１を配置しており、前記第２ワイヤ５７は引寄せ滑車６０・６１・６２の順に掛け渡されている。第２ワイヤ５７の先端は前記横ベース３１の端部（図６では左端）に固定している。
【００４８】
次に、本発明の辷り出し窓１の動作を説明する。障子４が図１に示す全閉姿勢のときには、各開閉用ブラケット２２は引っ張りばね２６によって下方へ引っ張られている一方で、ハンドルボックス１２が第２ワイヤ５７をロックしている。それによって各開閉用ブラケット２２は、障子４が前記全閉姿勢となる所定の高さ位置（図１の位置）で保持されている。
【００４９】
そのとき、左右の各押圧部材３９は横ベース３１の左右方向の端側に位置していて、その各押圧部材３９によって各スライドラック３２が横ベース３１の左右方向の端側へ押される。それによって各フック３３が前記係止姿勢になっていて、全閉姿勢の障子４の係止部３０のロックピン３０ｂをそれぞれ係止している。
【００５０】
その状態で、例えばハンドルボックス１２の換気用釦１２ｂが押されると、ハンドルボックス１２による第２ワイヤ５７のロックが解除されて、ハンドルボックス１２から第２ワイヤ５７が繰り出し可能になる。その際、各引っ張りバネ２６の付勢力によって各開閉用ブラケット２２が下方向へ引っ張られて、各第１ワイヤ１７を介して各押圧部材３９が横ベース３１（窓枠３の下枠３ｂ）の左右方向の中央側へそれぞれ引っ張られる。
【００５１】
その状態で、ハンドルボックス１２から第２ワイヤ５７が逐次繰り出されることで、各ラック３４・３５が横ベース３１（下枠３ｂ）の左右方向の中央側へ移動し、その移動に伴って各押圧部材３９が各スライドラック３２からそれぞれ離れる。すると、各スライドラック３２が、各ねじりコイルばね５４の付勢力でそれぞれ横ベース３１の左右方向の中央側へ移動する。それに伴って各フック３３がそれぞれ傾斜姿勢になって、各フック３３による障子４の各係止部３０のロックピン３０ｂの係止が解除され、障子４を開くことが可能になる。
【００５２】
その際、ハンドルボックス１２からの第２ワイヤ５７の繰り出し量は、障子４の各傾斜規制用ブラケット２０の開閉用ローラ１９を各開閉用ブラケット２２が受け止めたときに（換気位置：図３の位置）、その障子４が前記換気姿勢になる高さになるように設定している。その換気姿勢の障子４は、前述のように自然風の風圧に応じた開度に揺動する。
【００５３】
また、例えば障子４が前記全閉姿勢の状態でハンドルボックス１２の排煙用釦１２ｃが押されたときにも、前述の換気の場合と同様にハンドルボックス１２による第２ワイヤ５７のロックが解除される。すると、各スライドラック３２がそれぞれ横ベース３１の左右方向の中央側へ移動して、各フック３３が斜め外向きの傾斜姿勢になって各フック３３による障子４の各係止部３０のロックピン３０ｂの係止が解除され、障子４を開くことが可能になる。
【００５４】
その際のハンドルボックス１２からの第２ワイヤ５７の繰り出し量は、障子４の各傾斜規制用ブラケット２０の開閉用ローラ１９を各開閉用ブラケット２２が受け止めたときに（排煙位置：図４の位置）、その障子４が前記排煙姿勢になる高さになるように設定している。
【００５５】
また、例えばハンドルボックス１２の換気用釦１２ｂが押されたのちに排煙用釦１２ｃが押されたときに、その際の障子４が自然風の風圧によって閉じ方向側（建物内方側）へ姿勢変更しても、開閉用ブラケット２２が傾斜規制用ブラケット２０と共に上昇している押圧用ブラケット２４を押し下げ、それによって障子４が強制的に開かれる。
【００５６】
障子４が開いている状態でハンドルボックス１２のハンドル１２ａを回すと、第２ワイヤ５７がハンドルボックス１２内に巻き取られ、それに伴って各押圧部材３９が横ベース３１の左右方向の端側へ移動する。その各押圧部材３９によって各第１ワイヤ１７が引っ張られて、各開閉用ブラケット２２が上昇する。
【００５７】
その各開閉用ブラケット２２の上昇によって障子４の各傾斜規制用ブラケット２０の開閉用ローラ１９が押し上げられて障子４が閉じられる。その障子４が図１の全閉姿勢になるときには、各押圧部材３９が各スライドラック３２をそれぞれ横ベース３１の左右方向の端側へ押し、それによって各フック３３が前記係止姿勢に揺動して各係止部３０のロックピン３０ｂをそれぞれ引き寄せた状態で係止する。
【００５８】
このように、傾斜規制用ブラケット２０は、開閉用ブラケット２２に受け止めらているだけなので、開閉用ブラケット２２が傾斜規制用ブラケット２０の上昇時の負荷にはならず、その分だけ障子４は容易に閉じ方向へ移行できる。しかも、ハンドルボックス１２の排煙用釦１２ｃが押されたときに、その際の障子４が自然風の風圧によって閉じ方向側へ姿勢変更しても、開閉用ブラケット２２が押圧用ブラケット２４を押し下げるので、火事などの際に障子４を排煙に必要な開度に確実に開くことができる。
【００５９】
なお、前記説明では、左右の開閉装置１３・１３の各第１ワイヤ１７・１７の他端を駆動滑車４１・４２を介して左右の押圧部材３９・３９にそれぞれ固定しているが、例えば右側の開閉装置１３の第１ワイヤ１７の他端を左側の押圧部材３９に固定してもよい。つまり、左側の押圧部材３９には、左右の開閉装置１３の各第１ワイヤ１７・１７の他端がそれぞれ固定されることになる。その場合、前記駆動滑車４１・４２のうちの右側の駆動滑車４２を省略することができる。
【００６０】
前記説明では、辷り出し窓１の左右に開閉装置１３・１３をそれぞれ設けているが、辷り出し窓１の左右のいずれか一方のみに開閉装置１３を設けてもよい。また、例えば、開閉用ブラケット２２の動滑車２５を省略してもよい。その場合、第１ワイヤ１７の一端は、前記固定滑車１８を介して開閉用ブラケット２２に固定することになる。
【００６１】
図２では、第２ワイヤ５７を辷り出し窓１の下端側から導出しているが、例えば滑車などを用いて辷り出し窓１の上端側から導出するように構成してもよい。第２引寄せ滑車６１および第３引寄せ滑車６２を省略してもよい。その場合、第２ワイヤ５７の先端は、第１引寄せ滑車６０を介して基板４９や横ベース３１に固定することになる。
【００６２】
辷り出し窓１を左右方向に並べ、ひとつのハンドルボックス１２で開閉するように構成してもよい。その場合、例えば各辷り出し窓１の一方の押圧部材３９どうしをレバーなどで連結し、いずれかの辷り出し窓１をハンドルボックス１２で開閉操作すると、各辷り出し窓１が同時に開閉されることになる。
【符号の説明】
【００６３】
１  辷り出し窓
３  窓枠
３ａ  縦枠
４  障子
１３  開閉装置
１２  ハンドルボックス
１９  開閉用ローラ
２０  傾斜規制用ブラケット
２２  開閉用ブラケット
２４  押圧用ブラケット
２６  引っ張りバネ
【図１】
0006504857.tif 000002
【図２】
0006504857.tif 000003
【図３】
0006504857.tif 000004
【図４】
0006504857.tif 000005
【図５】
0006504857.tif 000006
【図６】
0006504857.tif 000007
【図７】
0006504857.tif 000008
【図８】
0006504857.tif 000009
【図９】
0006504857.tif 000010